(57)【要約】【課題】エルボ継手の第１端に接続される給水パイプがパイプ毎に規定された曲げ半径を越えて曲げられることを抑制できるスプリンクラー用継手ユニットを提供する。【解決手段】スプリンクラー用継手ユニット７は、水平方向に開口する第１端８ａに給水パイプ１０が接続されるとともに垂直方向に開口する第２端８ｂにスプリンクラーヘッド１１が取り付けられるエルボ継手８と、天井において水平方向に延びる棒状の構造材６に取り付けられてエルボ継手８を支持する台座９と、を備える。台座９は、構造材６が挿通されて同構造材６に対し固定される筒部１３を有する第１台座部材１４と、エルボ継手８が設けられるとともに第１台座部材１４に対しボルト３３を介して連結されて同ボルト３３を中心に回動可能な第２台座部材１６と、を備える。【選択図】図２
2020000645.tif 000002
【特許請求の範囲】
【請求項１】
水平方向に開口する第１端に給水パイプが接続されるとともに垂直方向に開口する第２端にスプリンクラーヘッドが取り付けられるエルボ継手と、天井において水平方向に延びる棒状の構造材に取り付けられて前記エルボ継手を支持する台座と、を備えたスプリンクラー用継手ユニットにおいて、
前記台座は、前記構造材が挿通されて同構造材に対し固定される筒部を有する第１台座部材と、前記エルボ継手が設けられるとともに前記第１台座部材に対し垂直軸を介して連結されて同垂直軸を中心に回動可能な第２台座部材と、を備えることを特徴とするスプリンクラー用継手ユニット。
【発明の詳細な説明】
【技術分野】
【０００１】
本発明は、スプリンクラー用継手ユニットに関する。
【背景技術】
【０００２】
建物の天井において、その上部に位置するスラブには取付金具によって天井下地材が吊り下げ支持されている。そして、天井下地材の下面には、建物の室内と天井とを仕切るための仕切板が取り付けられる。
【０００３】
建物の天井においては、スプリンクラーを設置するため、スラブと天井下地材との間に特許文献１に示されるようなスプリンクラー用継手ユニットが設けられる。このスプリンクラー用継手ユニットは、水平方向に開口する第１端に給水パイプが接続されるとともに垂直方向に開口する第２端にスプリンクラーヘッドが取り付けられるエルボ継手と、そのエルボ継手を支持する台座と、を備えている。
【０００４】
また、建物の天井においては、天井下地材の上側に水平方向に延びる角棒状の構造材が取り付けられており、同構造材によってスプリンクラー用継手ユニットの台座を支持することも行われている。こうした台座の支持は、特許文献２に示されるように、上記構造材が挿通されて同構造材に対し固定される筒部を台座に形成することによって実現することができる。
【先行技術文献】
【特許文献】
【０００５】
【特許文献１】特許第３６２６８４２号公報
【特許文献２】特開平１１−２４４４０８号公報
【発明の概要】
【発明が解決しようとする課題】
【０００６】
ところで、エルボ継手の第１端に接続される給水パイプは、建物の天井におけるスラブと天井下地材との間において略水平方向に延びてはいるものの、必ずしも第１端の開口方向に沿って且つ第１端の開口に向かって延びているとは限らない。給水パイプの延びる方向と第１端の開口方向とが異なっている場合、スプリンクラー用継手ユニットが構造材に対し固定されている関係から、第１端に接続される給水パイプを湾曲させなければならなくなる。しかし、給水パイプを湾曲させることには限界があり、同給水パイプの延びる方向と第１端の開口方向との傾斜の角度によっては、給水パイプがパイプ毎に規定された曲げ半径を越えて曲げられるおそれがある。
【０００７】
本発明の目的は、エルボ継手の第１端に接続される給水パイプがパイプ毎に規定された曲げ半径を越えて曲げられることを抑制できるスプリンクラー用継手ユニットを提供することにある。
【課題を解決するための手段】
【０００８】
以下、上記課題を解決するための手段及びその作用効果について記載する。
上記課題を解決するスプリンクラー用継手ユニットは、水平方向に開口する第１端に給水パイプが接続されるとともに垂直方向に開口する第２端にスプリンクラーヘッドが取り付けられるエルボ継手と、天井において水平方向に延びる棒状の構造材に取り付けられて上記エルボ継手を支持する台座と、を備える。そして、上記台座は、構造材が挿通されて同構造材に対し固定される筒部を有する第１台座部材と、上記エルボ継手が設けられるとともに第１台座部材に対し垂直軸を介して連結されて同垂直軸を中心に回動可能な第２台座部材と、を備えている。
【０００９】
上記構成によれば、天井において水平方向に延びる構造材に対し第１台座部材の筒部が固定されているが、その第１台座部材に対し垂直軸を介して連結される第２台座部材が上記垂直軸を中心に回動可能となっている。このため、天井において略水平方向に延びる給水パイプが、エルボ継手の第１端の開口方向に対し傾斜して延びている場合でも、エルボ継手が設けられた第２台座部材が垂直軸を中心に回動されることにより、第１端の開口方向を上記給水パイプの延びる方向に対応させることができる。このように第２台座部材（エルボ継手）を回動させることにより、エルボ継手の第１端に接続される給水パイプが、パイプ毎に規定された曲げ半径を越えて曲げられることは抑制される。
【図面の簡単な説明】
【００１０】
【図１】スプリンクラー用継手ユニットが適用される建物の天井の構造を概略的に示す斜視図。
【図２】スプリンクラー用継手ユニットを示す断面図。
【図３】図２のスプリンクラー用継手ユニットを仕切板の透孔側から見た状態を示す底面図。
【図４】スライダが第２台座部材の垂直板部に対し最下点まで下がった状態を示す断面図。
【図５】スライダの保持部におけるボルトの操作態様を示す断面図。
【発明を実施するための形態】
【００１１】
以下、スプリンクラー用継手ユニットの一実施形態について、図１〜図５を参照して説明する。
図１に示すように、建物における天井の上部に位置するスラブ１には、互いに平行となるように水平方向に延びる複数のＣ型チャンネル２が、取付金具３によって吊り下げ支持されている。更に、各Ｃ型チャンネル２の下面には、互いに平行となるようにＣ型チャンネル２と交差する方向に延びる複数の天井下地材４が固定されている。従って、各天井下地材４は、Ｃ型チャンネル２及び取付金具３によってスラブ１に対し吊り下げ支持されている。
【００１２】
天井下地材４の下面には、建物の室内と天井とを仕切るための複数の仕切板５が取り付けられている。一方、建物の天井における天井下地材４の上側、詳しくはＣ型チャンネル２の上面には、水平方向に延びる角棒状の構造材６が取り付けられている。そして、この構造材６は、建物の天井におけるスラブ１と天井下地材４との間において、建物における電気配線等を支持したり、スプリンクラー用継手ユニットを支持したりするために用いられる。
【００１３】
図２に示すように、スプリンクラー用継手ユニット７は、水平方向に開口する第１端８ａ及び垂直方向に開口する第２端８ｂを有するエルボ継手８と、上記構造材６に取り付けられてエルボ継手８を支持する台座９と、を備えている。上記エルボ継手８においては、第１端８ａに給水パイプ１０が接続される一方、第２端８ｂにスプリンクラーヘッド１１が取り付けられる。
【００１４】
なお、給水パイプ１０は、建物の天井（図１）におけるスラブ１と天井下地材４との間において略水平方向に延びている。また、天井下地材４の下面に取り付けられた上記仕切板５には、図２に示すようにエルボ継手８の第２端８ｂに取り付けられたスプリンクラーヘッド１１の一部を露出させるための透孔１２が形成されている。ちなみに、第２端８ｂに対するスプリンクラーヘッド１１の突出量、言い換えれば図２におけるスプリンクラーヘッド１１の下面の高さ位置は、同スプリンクラーヘッド１１の種類によって異なるものとなる。
【００１５】
スプリンクラー用継手ユニット７の台座９は、上記構造材６が挿通されて同構造材６に対し固定される筒部１３を有する第１台座部材１４を備えている。なお、構造材６においては、第１台座部材１４の筒部１３に挿通されたときに同筒部１３と接する面が、台座９が取り付けられる施工面として機能する。
【００１６】
上記第１台座部材１４の筒部１３は、金属板を角筒状に曲げ加工するとともに同曲げ加工を通じて金属板の厚さ方向に重なった部分同士をリベット３８により連結することで形成される。なお、金属板の厚さ方向に重なった部分同士を、リベット３８により連結する代わりに、電気溶接等によって溶接するようにしてもよい。また、上記筒部１３には、ねじ孔３９が形成されている。そして、ねじ孔３９に蝶ボルト４０をねじ込むと、構造材６が蝶ボルト４０によって押圧される。その結果、構造材６と筒部１３との間の摩擦力を通じて、同構造材６に対し筒部１３が固定されるようになる。なお、蝶ボルト４０を用いる代わりに、ねじ孔３９を介してビスを筒部１３にねじ込むことにより、構造材６に対し筒部１３を固定するようにしてもよい。
【００１７】
上記第１台座部材１４には、筒部１３から上方に延びる支持板１５が形成されている。そして、支持板１５の上部は水平方向に延びるように屈曲しており、同支持板１５の先端部１５ａ（図２の右端部）は上方に向かって突出するよう屈曲している。
【００１８】
スプリンクラー用継手ユニット７の台座９は、上記第１台座部材１４に対し連結されている第２台座部材１６も備えている。なお、第２台座部材１６は、第１台座部材１４を介して構造材６に対し取り付けられることから、構造材６の施工面に取り付けられる台座本体としての役割を担う。この第２台座部材１６には上記エルボ継手８が設けられている。そして、第２台座部材１６には、上記エルボ継手８を垂直方向へ昇降可能に支持するスライダ１７が保持されている。なお、このときの第２台座部材１６は、エルボ継手８を支持するためのスライダ１７を昇降可能に保持する継手用台座としての役割を担う。
【００１９】
第２台座部材１６には、第１台座部材１４における支持板１５の上部であって水平方向に延びる部分の下面に対し厚さ方向に重なる水平板部１８、及び、その水平板部１８から下方に向けて延びる垂直板部１９が形成されている。この垂直板部１９は、第１台座部材１４の筒部１３に対し側方（図２の右方）に位置している。そして、筒部１３と垂直板部１９とは水平方向に離間して配置されており、それによって筒部１３と垂直板部１９との間に収容空間Ｓが形成されている。
【００２０】
垂直板部１９における幅方向（図２の紙面と直交する方向）の両縁にはそれぞれ、筒部１３側とは反対側（図２の右側）に向けて突出するガイド壁２０が垂直方向に延びるように形成されている（図２には一方のガイド壁２０のみ図示）。更に、垂直板部１９における幅方向の中央部には、垂直方向に長い長孔となるガイド孔２１が形成されている。なお、このガイド孔２１は、垂直板部１９を水平方向に貫通する貫通孔となっている。
【００２１】
第２台座部材１６に保持される上記スライダ１７は、エルボ継手８と一体形成された保持部２２と、その保持部２２から突出して上記ガイド孔２１を貫通するとともにガイド孔２１内での変位が可能とされている軸部２３と、その軸部２３における保持部２２側とは反対側の端部に螺入された蝶ボルト２４と、を備えている。なお、軸部２３及び保持部２２には、上記蝶ボルト２４が螺入されるねじ孔２５が、水平方向に延びるように形成されている。
【００２２】
上記軸部２３は、ガイド孔２１内で同孔２１の長手方向（垂直方向）に移動することが可能となっている。そして、軸部２３の一方の端部（図２の右端部）は、エルボ継手８を支持するための上記保持部２２が繋がっている。なお、軸部２３のもう一方の端部（図１の左端部）に螺入された蝶ボルト２４は、ガイド孔２１に挿通されて第１台座部材１４の筒部１３とは反対側（図２の右側の）の端部が保持部２２を介してエルボ継手８に連結されているガイド軸として機能する。この蝶ボルト２４の頭部２４ａは、ガイド孔２１からの上記軸部２３の抜けを防止する係止部として機能する。更に、蝶ボルト２４の頭部２４ａは、同蝶ボルト２４（ガイド軸）における筒部１３側（図２の左側）の端部にガイド孔２１から筒部１３側へと突出するよう設けられて蝶ボルト２４のガイド孔２１からの抜け止めを行う抜止部としても機能する。
【００２３】
なお、図３は、図２に示す仕切板５の透孔１２側からスプリンクラー用継手ユニット７を見た状態を示している。図３から分かるように、スライダ１７の保持部２２には、垂直板部１９における一対のガイド壁２０に対しそれぞれ面接触する接触部２２ａが形成されている。このため、スライダ１７（軸部２３）及びエルボ継手８が垂直方向（図３の紙面と直交する方向に）に移動するときには、その移動が一対のガイド壁２０によってガイドされるとともに、軸部２３の中心線周りについての回転が規制されるようになる。
【００２４】
図２に示すように、スライダ１７の保持部２２には、垂直方向に延びて同保持部２２を貫通するねじ孔２６が形成されている。このねじ孔２６は、上記ねじ孔２５と交差している。そして、ねじ孔２６には下方から上方に向けてボルト２７（操作部材）がねじ込まれている。このボルト２７の頭部２７ａには六角穴２７ｂが形成されている。そして、六角穴２７ｂに工具を挿入した状態で同工具を用いて、ボルト２７をその中心線周りに回動操作することにより、同ボルト２７が保持部２２に対し上記中心線方向に変位し、その変位に伴ってボルト２７の頭部２７ａが保持部２２に対し接近離間する。
【００２５】
第２台座部材１６には、ボルト２７の回動操作に基づきスライダ１７を軸部２３の延びる方向に押圧し、それによってスライダ１７（保持部２２又は蝶ボルト２４の頭部２４ａ）を垂直板部１９に押し付けて固定する固定部材２８が設けられている。固定部材２８は、第２台座部材１６の垂直板部１９とスライダ１７の保持部２２との間の隙間に配置された第１プレート２９と、その第１プレート２９の端部（図２の下端部）に繋がる第２プレート３０と、を備えている。
【００２６】
固定部材２８の第１プレート２９において、ガイド孔２１の長手方向（垂直方向）及び軸部２３の延びる方向（水平方向）に対しそれぞれ直交する方向の幅は、その方向におけるガイド孔２１の幅よりも大きくされている。この第１プレート２９における第２プレート３０側の端部とは反対側の端部には、軸部２３を径方向に挟み込むように収容する凹所３１が形成されている。また、固定部材２８の第２プレート３０は、上記垂直板部１９と上記保持部２２との間の隙間外に配置されており、第１プレート２９に対し傾斜してボルト２７の頭部２７ａにおける保持部２２に対する接近離間方向について同保持部２２との間に隙間を有している。更に、第２プレート３０は、上記ボルト２７のねじ部２７ｃを挿通するための挿通部３２（この例では孔）を有している。
【００２７】
そして、ボルト２７の締め付ける方向への回動操作に基づき、同ボルト２７の頭部２７ａが保持部２２に接近すると、第２プレート３０が保持部２２における第１プレート２９の端部寄りの縁部分Ｐ１を支点に回動し、それに伴って第１プレート２９が蝶ボルト２４の頭部２４ａと垂直板部１９とを軸部２３の延びる方向に押圧する。詳しくは、第１プレート２９が垂直板部１９に押圧されることによって固定部材２８が軸部２３の延びる方向において保持部２２を垂直板部１９から離れる方向に押圧する。このように保持部２２が垂直板部１９から離れる方向に押圧されることに伴い、軸部２３と繋がる蝶ボルト２４の頭部２４ａが軸部２３の延びる方向において垂直板部１９に押圧され、それによってスライダ１７（エルボ継手８）が第２台座部材１６（垂直板部１９）に対し固定される。
【００２８】
一方、ボルト２７の緩める方向への回動操作に基づき同ボルト２７の頭部２７ａが保持部２２から離間すると、第２プレート３０が保持部２２における第１プレート２９の端部寄りの縁部分Ｐ１を支点に上述した回動とは逆の方向への回動が許容される。その結果、第１プレート２９による蝶ボルト２４の頭部２４ａと垂直板部１９との軸部２３の延びる方向についての押圧が解除される。詳しくは、第１プレート２９の垂直板部１９に対する押圧が解除されることによって固定部材２８が軸部２３の延びる方向において保持部２２を垂直板部１９から離れる方向に押圧することも解除される。そして、同押圧が解除されることによって、軸部２３と繋がる蝶ボルト２４の頭部２４ａが軸部２３の延びる方向において垂直板部１９に押圧されることも解除される。その結果、スライダ１７（エルボ継手８）の第２台座部材１６（垂直板部１９）に対する固定も解除され、スライダ１７がガイド孔２１の長手方向（垂直方向）に移動することが可能となる。
【００２９】
ちなみに、ボルト２７の緩める方向への回動動作を通じてスライダ１７の第２台座部材１６に対する固定を解除した状態のもと、スライダ１７の保持部２２を垂直板部１９に対し最接近させたときには、スライダ１７における軸部２３の突出方向の先端が垂直板部１９から若干突出するようになる。すなわち、そうしたことが生じるように保持部２２に対する軸部２３の突出量（軸部２３の突出方向の長さ）が定められている。これにより、ボルト２７を緩めたときに垂直板部１９と蝶ボルト２４の頭部２４ａとの間に隙間を形成することが可能となり、その隙間によって蝶ボルト２４の頭部２４ａにおけるガイド孔２１に対する干渉（引っ掛かり等）が生じにくくなるため、スライダ１７のガイド孔２１に沿った移動をスムーズに行うことができるようになる。
【００３０】
スライダ１７が垂直板部１９（ガイド孔２１）に対し垂直方向に相対移動するとき、蝶ボルト２４及びエルボ継手８等もスライダ１７と一体移動する。しかし、そのように移動する蝶ボルト２４の頭部２４ａの上部が、第１台座部材１４における筒部１３に対し干渉することはない。すなわち、筒部１３と垂直板部１９との間に形成されている収容空間Ｓは、蝶ボルト２４の頭部２４ａの少なくとも上部（この例では全部）を収容可能とされており、それによって蝶ボルト２４の垂直方向への移動時に頭部２４ａが第１台座部材１４における筒部１３に対し干渉しないようにされている。
【００３１】
次に、スプリンクラー用継手ユニット７における第１台座部材１４と第２台座部材１６との連結構造について詳しく説明する。
第２台座部材１６の水平板部１８は、第１台座部材１４における支持板１５の上部であって水平方向に延びる部分に対し、ボルト３３（垂直軸）を介して連結されている。詳しくは、厚さ方向に重なる水平板部１８と支持板１５の上部とをボルト３３が上方から下方に貫通しており、そのボルト３３と水平板部１８の下側に位置するナット３４とによるボルト締結を通じて水平板部１８と支持板１５とが連結されている。
【００３２】
ボルト３３の頭部３３ａは、支持板１５の先端部１５ａの側壁に対し面接触している。これにより、ナット３４を締めたり緩めたりするとき、そのナット３４に伴いボルト３３が供回りしないようにされている。ちなみに、ナット３４を緩めた状態のもとでは第２台座部材１６がボルト３３を中心に回動可能となる一方、ナット３４を締めた状態のもとではボルト３３を中心とする第２台座部材１６の上記回動が規制される。
【００３３】
また、ボルト３３における支持板１５及び水平板部１８を貫通する位置は、ボルト３３の中心線がエルボ継手８の第２端８ｂの中心線と一致する位置に定められている。このため、第２台座部材１６がボルト３３を中心に回動するとき、エルボ継手８の第２端８ｂ（スプリンクラーヘッド１１）が仕切板５の透孔１２に対応する位置から水平方向にずれてしまうことは抑制される。
【００３４】
次に、スプリンクラー用継手ユニット７を設置する手順について説明する。
図１に示す建物の天井において、天井下地材４に対し仕切板５を取り付ける前（設置前）に、スプリンクラー用継手ユニット７（図２）が固定されている構造材６を、Ｃ型チャンネル２に対し取り付ける。このときのスプリンクラー用継手ユニット７は、図２に示すようにエルボ継手８の第１端８ａに給水パイプ１０が接続されているとともに第２端８ｂにスプリンクラーヘッド１１が取り付けられた状態とされている。
【００３５】
エルボ継手８の第１端８ａに接続される給水パイプ１０は、建物の天井におけるスラブ１と天井下地材４との間において略水平方向に延びてはいるものの、必ずしも第１端８ａの開口方向に沿って且つ第１端８ａの開口に向かって延びているとは限らず、第１端８ａの開口方向に対し傾斜して延びていることも考えられる。このように給水パイプ１０の延びる方向と第１端８ａの開口方向とが異なっているとき、第１台座部材１４に対する第２台座部材１６の相対位置が固定されていると、第１端８ａに接続される給水パイプ１０を湾曲させなければならなくなり、同給水パイプ１０がパイプ毎に規定された曲げ半径を越えて曲げられるおそれがある。
【００３６】
こうした問題に対処するため、水平板部１８と支持板１５とのボルト締結に用いられているナット３４を緩めることにより、第２台座部材１６をボルト３３周りに回動できる状態とする。なお、図３は、第２台座部材１６を所定角度分だけ上述したように回動させた状態を示している。そして、第２台座部材１６の上記回動を通じて、エルボ継手８における第１端８ａの開口方向を上記給水パイプ１０の延びる方向に対応させる。このように第２台座部材１６（エルボ継手８）を回動させることにより、エルボ継手８の第１端８ａに接続される給水パイプ１０が、パイプ毎に規定された曲げ半径を越えて曲げられることは抑制される。
【００３７】
なお、上述したように第２台座部材１６（エルボ継手８）の回動を行った後、図２に示すナット３４を締めることにより、第２台座部材１６（エルボ継手８）の上記回動方向についての位置が固定される。
【００３８】
図２に示すように、スプリンクラー用継手ユニット７においては、固定部材２８の第１プレート２９が、保持部２２における第１プレート２９の端部寄りの縁部分Ｐ１を支点に保持部２２との間に隙間を有するよう回動して傾いた状態となるようにされる。すなわち、第１プレート２９がそうした状態となるようボルト２７のねじ部２７ｃがねじ孔２６にねじ込まれる。
【００３９】
更に、スプリンクラー用継手ユニット７においては、蝶ボルト２４をある程度緩めることによって、スライダ１７及びエルボ継手８を第２台座部材１６（垂直板部１９）に対しガイド孔２１に沿って垂直方向に相対移動させることが可能となる。なお、図４は、スライダ１７が第２台座部材１６の垂直板部１９に対し最下点まで下がった状態を示している。
【００４０】
そして、スライダ１７及びエルボ継手８は、スプリンクラー用継手ユニット７を構造材６に取り付ける前に、第２台座部材１６の垂直板部１９に対する垂直方向についての相対位置が次のように予め調整される。すなわち、スプリンクラー用継手ユニット７が固定されている構造材６をＣ型チャンネル２（図１）に対し取り付けたとき、天井下地材４に取り付け予定の仕切板５に対応する高さにスプリンクラーヘッド１１が位置するよう、垂直板部１９に対するスライダ１７及びエルボ継手８の垂直方向についての相対位置が予め調整される。
【００４１】
このように垂直板部１９に対するスライダ１７及びエルボ継手８の相対位置が調整された後、蝶ボルト２４の締め付けが行われることにより、固定部材２８の第１プレート２９が保持部２２との間に隙間を有した状態で、蝶ボルト２４の頭部２４ａと垂直板部１９とが軸部２３の延びる方向に押圧される。そして、その押圧を通じてスライダ１７が垂直板部１９に対し固定される。
【００４２】
蝶ボルト２４の締め付けによって第２台座部材１６の垂直板部１９に対しスライダ１７が固定された後、図２に示すように天井下地材４の下面に仕切板５が取り付けられる。このときには、エルボ継手８の第２端８ｂに取り付けられているスプリンクラーヘッド１１が、仕切板５の透孔１２に対応して位置するようになる。ただし、垂直板部１９に対するスライダ１７の固定位置を誤ったり、仕切板５を取り付ける高さ位置に誤差が生じたりすることが原因で、仕切板５の透孔１２からスプリンクラーヘッド１１の一部を適正に露出させることができないおそれがある。
【００４３】
この場合、スプリンクラーヘッド１１の一部を透孔１２から適正に露出させることができるよう、スライダ１７（エルボ継手８）の垂直方向についての位置を次のように調整し直すことが行われる。
【００４４】
上述したようにスライダ１７（エルボ継手８）が垂直板部１９に対し固定されているとき、スライダ１７の保持部２２にあるボルト２７を緩める方向に回動操作すれば、ボルト２７の頭部２７ａが保持部２２から離間し、上記第１プレート２９の押圧によるスライダ１７の垂直板部１９に対する固定が解除される。その結果、垂直板部１９に対しスライダ１７及びエルボ継手８を垂直方向に相対移動させることが可能となる。
【００４５】
このことから、図５に示すように、仕切板５の透孔１２を介して、スライダ１７（保持部２２）におけるボルト２７の頭部２７ａの六角穴２７ｂに六角レンチ３５を挿入し、その状態で六角レンチ３５を用いてボルト２７を緩める方向に回動操作する。これにより、ボルト２７がその中心線方向に変位し、それに伴ってボルト２７の頭部２７ａが保持部２２に対し離間する。そして、ボルト２７の頭部２７ａが保持部２２から離間すると、第２プレート３０が保持部２２における第１プレート２９の端部寄りの縁部分Ｐ１を支点にして同保持部２２から離間する方向に回動することが可能となる。その結果、第１プレート２９による軸部２３の延びる方向についてのスライダ１７（蝶ボルト２４の頭部２４ａ）と垂直板部１９との押圧が解除され、ひいては垂直板部１９に対するスライダ１７の固定が解除される。
【００４６】
このようにスライダ１７の固定を解除した状態のもとでは、スライダ１７を仕切板５の透孔１２を介して直接的に操作することにより、詳しくは六角レンチ３５でスライダ１７を上げ下げすることにより、同スライダ１７をガイド孔２１内での上記軸部２３の変位が可能な範囲で自在に移動させることができる。そして、エルボ継手８の第２端８ｂに接続されたスプリンクラーヘッド１１の一部が透孔１２から適正に露出するよう、スライダ１７（エルボ継手８）の位置を調整した後、六角レンチ３５による締める方向へのボルト２７の回動操作を通じて、同ボルト２７の頭部２７ａを保持部２２に接近させる。これにより、第２プレート３０が保持部２２における第１プレート２９の端部寄りの縁部分Ｐ１を支点に回動し、第１プレート２９がスライダ１７と垂直板部１９とを上記軸部２３の延びる方向に押圧する。そして、この押圧に伴ってスライダ１７における蝶ボルト２４の頭部２４ａが第２台座部材１６の垂直板部１９に押し付けられる。
【００４７】
こうして第２台座部材１６の垂直板部１９に対するスライダ１７の垂直方向について位置が固定された後、エルボ継手８の第２端８ｂに接続されたスプリンクラーヘッド１１からキャップ３６が取り外され、スプリンクラーヘッド１１に対し図２に二点鎖線で示すようにシーリングプレート３７が取り付けられる。このシーリングプレート３７は、スプリンクラーヘッド１１を保護するとともに、同ヘッド１１から水が放出されたとき、その水が透孔１２を介して仕切板５とスラブ１（図１）との間に入り込むことを防止するためのものである。
【００４８】
以上詳述した本実施形態によれば、以下に示す作用効果が得られるようになる。
（１）天井において、エルボ継手８の第１端８ａに接続される給水パイプ１０が、第１端８ａの開口方向に対し傾斜して延びている場合がある。この場合でも、エルボ継手８が設けられている第２台座部材１６が第１台座部材１４の支持板１５に対しボルト３３を中心に相対回動されることにより、上記第１端８ａの開口方向を給水パイプ１０の延びる方向に対応させることができる。このように第２台座部材１６（エルボ継手８）を回動させることにより、エルボ継手８の第１端８ａに接続される給水パイプ１０が、パイプ毎に規定された曲げ半径を越えて曲げられることは抑制されるようになる。
【００４９】
（２）第２台座部材１６の水平板部１８と第１台座部材１４の支持板１５とのボルト締結に用いられているナット３４を緩めることにより、第２台座部材１６がボルト３３周りに回動できる状態となる一方、上記ナット３４を締め付けることによって第２台座部材１６の上記回動が規制される。上記ボルト締結の際にナット３４と共に用いられるボルト３３の頭部３３ａは、支持板１５の先端部１５ａの側壁に対し面接触しているため、ナット３４を締めたり緩めたりするとき、それに伴ってボルト３３が供回りすることを抑制できる。
【００５０】
（３）スライダ１７が垂直板部１９（ガイド孔２１）に対し垂直方向に相対移動するとき、それに伴って垂直方向に移動する蝶ボルト２４の頭部２４ａは、第１台座部材１４における筒部１３と第２台座部材１６の垂直板部１９との間に形成された収容空間Ｓに収容される。このため、スライダ１７の垂直方向への移動時、蝶ボルト２４の頭部２４ａが第１台座部材１４における筒部１３に対し干渉することは抑制される。従って、そうした干渉に起因してエルボ継手８の垂直方向についての移動範囲（昇降範囲）が狭くなることを抑制できる。
【００５１】
なお、上記実施形態は、例えば以下のように変更することもできる。
・収容空間Ｓについては、必ずしも蝶ボルト２４の頭部２４ａ全体を収容可能とする必要はなく、その頭部２４ａの上部等のみが収容可能であってもよい。
【００５２】
・スプリンクラー用継手ユニット７に用いられる継手は、必ずしもエルボ継手８である必要はなく、エルボ継手８以外の継手を用いることも可能である。
・蝶ボルト２４の頭部２４ａと第２台座部材１６の垂直板部１９との間に、金属製の座金やフッ素樹脂（例えばポリテトラフルオロエチレン）等の合成樹脂製のすべりプレートを設けるようにしてもよい。この場合、スライダ１７をガイド孔２１に沿って移動させるとき、蝶ボルト２４の頭部２４ａが垂直板部１９のガイド孔２１の形成された部分に対し干渉することはなくなるため、上記スライダ１７の移動をスムーズに行うことができる。
【００５３】
・ボルト３３の頭部３３ａは、必ずしも支持板１５の先端部１５ａの側壁に対し面接触している必要はなく、例えば同側壁との間にボルト３３の回動を防止できる程度の隙間が形成されていてもよい。
【００５４】
・スプリンクラー用継手ユニット７の台座９は、第１台座部材１４と第２台座部材１６とが一体に形成されているタイプのもの、すなわち第２台座部材１６が第１台座部材１４に対し相対回動できないタイプのものであってもよい。詳しくは、第１台座部材１４における支持板１５の上部であって水平方向に延びる部分のうち、第２台座部材１６の水平板部１８と厚さ方向に重なる部分を省略するとともに、その第２台座部材１６の水平板部１８も省略する。そして、第２台座部材１６の垂直板部１９を第１台座部材１４の支持板１５と一体に形成する。この場合、エルボ継手８の上下を上記実施形態と同じにした状態で、且つ、台座９の上下を上記実施形態に対し反転させた状態で、同台座９を構造材６に取り付けることにより、エルボ継手８の昇降範囲を上記実施形態の場合と比較して上下にずらすことが可能である。
【００５５】
次に、上記実施形態から把握できる技術思想について記載する。
（イ）第１端に給水パイプが接続されるとともに垂直方向に開口する第２端にスプリンクラーヘッドが取り付けられる継手と、天井において水平方向に延びる棒状の構造材に取り付けられて前記継手を垂直方向へ昇降可能に支持する台座と、を備えたスプリンクラー用継手ユニットにおいて、
前記台座は、前記構造材が挿通され前記構造材に固定される筒部と、その筒部の側方に位置しており且つ垂直方向に延びるガイド孔を有している垂直板部と、前記ガイド孔に挿通されて前記筒部とは反対側の端部が前記継手に連結されているガイド軸と、そのガイド軸における前記筒部側の端部に前記ガイド孔から前記筒部側へと突出するよう設けられて前記ガイド軸の前記ガイド孔からの抜け止めを行う抜止部と、を備えており、
前記筒部と前記垂直板部とが水平方向に離間して配置されていることにより、前記筒部と前記垂直板部との間に、上昇した前記抜止部の少なくとも上部を収容可能な収容空間が形成されているスプリンクラー用継手ユニット。
【００５６】
上記構成によれば、台座に対し継手を昇降させるとき、その昇降に伴ってガイド軸及び抜止部が垂直板部に対しガイド孔に沿って垂直方向に相対移動する。そして、垂直板部に対しガイド溝及び抜止部が上方に相対移動するとき、抜止部の少なくとも上部が筒部と垂直板部との間に形成されている収容空間に収容可能となる。このため、筒部等に対する抜止部の少なくとも上部の干渉を抑制することができ、そうした干渉に起因して継手の昇降範囲が狭くなることを抑制できるようになる。
【００５７】
（ロ）施工面に取り付けられる台座本体と、前記台座本体に移動可能に保持されて継手を支持するためのスライダと、を備えた継手用台座において、
前記スライダは、前記台座本体に形成されている貫通孔を貫通するとともに同貫通孔内での変位が可能である軸部と、その軸部の一方の端部に繋がって前記継手を支持する保持部と、前記軸部のもう一方の端部に繋がって前記貫通孔からの前記軸部の抜けを防止する係止部と、を備えており、
前記スライダの前記保持部には回動操作される操作部材が設けられており、
前記操作部材の回動操作に基づき前記スライダを前記軸部の延びる方向に押圧し、それによって前記保持部又は前記係止部を前記台座本体に押し付けて固定する固定部材が設けられていることを特徴とする継手用台座。
【００５８】
上記構成によれば、施工面に台座本体が取り付けられた状態のもと、継手を支持するスライダの保持部が仕切板の透孔に対応して位置するよう仕切板が設置される。そうした設置後において、台座本体に対するスライダ（継手）の固定位置を調整する必要が生じたときには、その調整を容易かつ速やかに行うことが可能になる。すなわち、台座本体に対するスライダの固定位置を調整する際には、仕切板の透孔を介して保持部にある操作部材を回動操作することによりスライダの固定が解除される。このようにスライダの固定を解除すれば、同スライダを上記透孔を介して直接的に操作することにより、上記スライダを貫通孔内での上記軸部の変位が可能な範囲で自在に移動させることができる。このため、台座本体に対しスライダを容易かつ速やかに相対移動させることができ、そのスライダの移動を通じて同スライダの固定位置の調整を容易かつ速やかに行うことができる。位置調整後のスライダの台座本体に対する固定は、操作部材を上述した回転操作と逆の方向に回動操作することによって行われる。
【符号の説明】
【００５９】
１…スラブ、２…Ｃ型チャンネル、３…取付金具、４…天井下地材、５…仕切板、６…構造材、７…スプリンクラー用継手ユニット、８…エルボ継手、８ａ…第１端、８ｂ…第２端、９…台座、１０…給水パイプ、１１…スプリンクラーヘッド、１２…透孔、１３…筒部、１４…第１台座部材、１５…支持板、１５ａ…先端部、１６…第２台座部材、１７…スライダ、１８…水平板部、１９…垂直板部、２０…ガイド壁、２１…ガイド孔、２２…保持部、２２ａ…接触部、２３…軸部、２４…蝶ボルト、２４ａ…頭部、２５…ねじ孔、２６…ねじ孔、２７…ボルト、２７ａ…頭部、２７ｂ…六角穴、２７ｃ…ねじ部、２８…固定部材、２９…第１プレート、３０…第２プレート、３１…凹所、３２…挿通部、３３…ボルト、３３ａ…頭部、３４…ナット、３５…六角レンチ、３６…キャップ、３７…シーリングプレート、３８…リベット、３９…ねじ孔、４０…蝶ボルト。
【図１】
2020000645.tif 000003
【図２】
2020000645.tif 000004
【図３】
2020000645.tif 000005
【図４】
2020000645.tif 000006
【図５】
2020000645.tif 000007